(57)【特許請求の範囲】
【請求項１】
液状被包装物を、プラスチックフィルム製の軟質液体包装袋に収容してなる液状物充填包装体の略下半分に外嵌めして、これの自立保持に寄与すると共に、前記軟質液体包装袋の一側縁上部に設けられ、外気の侵入を阻止するセルフシール逆止機能を有する液体注出ノズルから袋内被包装物を注出させるために、当該液状物充填包装体の胴部を加圧できるようにしてなるホルダーにおいて、
前記液状物充填包装体の立ち姿の下で形作られる立体形状に適合する形である、下部が多角形であって、上部が楕円形シェル構造の上すぼまりの筒状体からなり、この筒状体の内径がそれの高さ方向の全体にわたって、立ち姿における前記液状物充填包装体の、対応する位置での最大径よりも大きくなるように構成されていることを特徴とする液状物充填包装体用のホルダー。
【請求項２】
前記筒状体は、下部が六角形からなり、対向する頂角部のそれぞれに、前記液状物充填包装体の胴部長辺側に沿う対向する六角辺部を加圧して、平らになるまで押し潰すことができるようにした山折り線を設けてなることを特徴とする請求項１に記載の液状物充填包装体用のホルダー。
【請求項３】
前記筒状体は、その上部楕円形シェル構造部分に指掛り孔を有することを特徴とする請求項１または２に記載の液状物充填包装体用のホルダー。
【請求項４】
前記筒状体は、１枚のシートを、横方向に間隔をおいて設けられた山折り線に沿って多角形に折り曲げて形成してなり、かつ該シートの両遊端部を互いに接着して組み立ててなることを特徴とする請求項１〜３のいずれか１項に記載の液状物充填包装体用のホルダー。
【請求項５】
前記シートの両遊端部は、前記軟質液体包装袋の、一の側部縦シール部に貼着または融着されていることを特徴とする請求項４に記載の液状物充填包装体用のホルダー。
【請求項６】
前記山折り線は、少なくとも一部の上端に引裂き伝播防止用ノッチを設けてなることを特徴とする請求項４または５に記載の液状物充填包装体用のホルダー。
【請求項７】
前記筒状体は、下部多角形の下端に、下端面中心を含むように多角辺部に跨がって配設された帯状の底板を有し、該底板の、略中央位置に、底板全体の折り込みを許容する折畳み線を設けてなることを特徴とする請求項１〜６のいずれか１項に記載の液状物充填包装体用のホルダー。
【請求項８】
前記筒状体は、上部楕円形シェル構造部分の外表面に滑り止め加工を施した加工面を有すると共に、下部六角形部分外表面に耐摩耗加工を施した加工面を有することを特徴とする請求項１〜７のいずれか１項に記載の液状物充填包装体用のホルダー。
【発明の詳細な説明】
【技術分野】
【０００１】
本発明は、液状物充填包装体用のホルダーに関し、一側縁上部に突設した液体注出ノズルを備える軟質液体包装袋内に、醤油や液体調味料、飲料、医薬品、化粧品の如き液状被包装物を充填してなる液状物充填包装体の自立保持および注出援助ならびにエコ減容化などに著効を示すホルダーについて提案する。
【背景技術】
【０００２】
飲食品用包装袋を自立保持するためのホルダーに関しては、特許文献１に開示されたものがある。このホルダーは、湯戻しされる即席乾燥食品や電子レンジ加熱調理用の食品などを収容する包装袋の下部に装着される筒状部材からなるホルダーにおいて、該筒状部材の上端開口部の最大径を、収納される包装袋の、その位置における幅よりも小さくなるように形成することで、収納される包装袋の両側縁が、筒状部材の上端開口部によって互いに近づく方向に押圧され、それによって包装袋の上部開封部を開口した状態で安定して維持することができるというものである。
【０００３】
また、軟質液体包装袋内に液状被包装物を充填してなる液状物充填包装体については、発明者らの提案に係る特許文献２および３に開示されたものがある。これらの文献に開示されている液状物充填包装体は、セルフシール逆止機能付きのフィルム状逆止ノズルを備えてなり、醤油その他の液体調味料やサラダオイルのような液状物を、液中シール充填することにより、実質的に液状の被包装物のみを内包（ガスレス状態で充填された）した液状物充填包装体として用いられる。そして、この液状物充填包装体では、フィルム状逆止ノズルを構成する積層プラスチックフィルムの内表面同士が密着することで外側逆止機能を発揮し、包装袋内への大気の侵入が阻止され、これによって袋内被包装物が酸化等の化学変化を起すことがなく、長期に亘って当初のままの品質に維持できるという利点があるが、液状物充填包装体それ自体は自立性も定型性も有していないため、それの搬送、保管、使用等に当っては、自立型の包装袋（スタンディングポーチ：外袋）内に収納することで使用形態としている。
【０００４】
【特許文献１】特開２０１０−１０５９号公報
【特許文献２】特開２０１０−１８３２３号公報
【特許文献３】特開２０１０−２６０６１４号公報
【発明の概要】
【発明が解決しようとする課題】
【０００５】
液体注出ノズルを有する液状物充填包装体用のホルダーとしては、液状物充填包装体を安定して保持すると共に、液状物充填包装体を傾動させて、液状被包装物を複数回にわたって液体注出ノズルから注出するのを補助する機能を有することが必要とされる。したがって、例えば、特許文献１に記載のホルダーを利用した場合には、高い自立性と共に耐衝撃性を付与するため、ホルダー材料として、固く、厚みのある紙材料やプラスチック材料等を用いる必要があり、コストが高くなるという問題点がある。しかも、特許文献１に記載のホルダーは、平面視楕円形の筒状体からなるため、これを複数個並べて配置した際の納まりが悪く、無駄なスペースが発生すると共に、液状物充填包装体をホルダー内に収納した状態で商品棚に陳列したり、箱等に収納した場合の収納性が悪く、また耐衝撃性に劣るという問題点がある。
【０００６】
しかも、特許文献２および３に記載の液状物充填包装体のように、逆止機能を有する液体注出ノズルを備える液状物充填包装体を、特許文献１のホルダーによって保持した場合には、液状物充填包装体内に十分な被包装物がある場合には、ホルダーの自立性と共に、液状物充填包装体の下部が被包装物の重みによって膨張することで安定して自立させることができるも、液状物充填包装体が、ノズルの外側逆止機能によって、袋内被包装物の注出と共に、その注出体積分に相当する量だけ順次に潰れ変形していくと、特許文献１のホルダーの自立性のみでは液状物充填包装体を安定して自立させることが難しいという問題点があった。
【０００７】
そこで、本発明は、軟質液体包装袋からなる液状物充填包装体を最後まで安定して自立させると共に、液状物充填包装体内の被包装物の吐出を補助することができ、さらには収納性と耐衝撃性に優れる安価なホルダーを提供することを目的とする。
【課題を解決するための手段】
【０００８】
従来技術が抱えている上述した課題を克服できるホルダーを開発するべく鋭意検討を重ねた結果、本発明者は、下記の要旨構成に係る液状物充填包装体用のホルダーを開発した。
【０００９】
即ち、本発明の、液状物充填包装体用のホルダーは、液状被包装物を、プラスチックフィルム製の軟質液体包装袋に収容してなる液状物充填包装体の略下半分に外嵌めして、これの自立保持に寄与すると共に、前記軟質液体包装袋の一側縁上部に設けられ、外気の侵入を阻止するセルフシール逆止機能を有する液体注出ノズルから袋内被包装物を注出させるために、当該液状物充填包装体の胴部を加圧できるようにしてなるホルダーにおいて、前記液状物充填包装体の立ち姿の下で形作られる立体形状に適合する形である、下部が多角形であって、上部が楕円形シェル構造の上すぼまりの筒状体からなり、この筒状体の内径が、それの高さ方向の全体にわたって、立ち姿における前記液状物充填包装体の、対応する位置での最大径よりも大きくなるように構成されていることを特徴とする液状物充填包装体用のホルダーである。
【００１０】
また、本発明の液状物充填包装体用のホルダーにおいて、
（１）前記筒状体は、下部が六角形からなり、対向する頂角部のそれぞれに、前記液状物充填包装体の胴部長辺側に沿う対向する六角辺部を加圧して、平らになるまで押し潰すことができるようにした山折り線を設けてなること、
（２）前記筒状体は、その上部楕円形シェル構造部分に指掛り孔を有すること、
（３）前記筒状体は、１枚のシートを、横方向に間隔をおいて設けられた山折り線に沿って多角形に折り曲げて形成してなり、かつ該シートの両遊端部を互いに接着して組み立ててなること、
（４）前記シートの両遊端部は、前記軟質液体包装袋の、一の側部縦シール部に貼着または融着されていること、
（５）前記山折り線は、少なくとも一部の上端に引裂き伝播防止用ノッチを設けてなること、
（６）前記筒状体は、下部多角形の下端に、下端面中心を含むように多角辺部に跨がって配設された帯状の底板を有し、該底板の、略中央位置に、底板全体の折り込みを許容する折畳み線を設けてなること、
（７）前記筒状体は、上部楕円形シェル構造部分の表面に滑り止め加工を施した加工面を有すると共に、下部六角形部分外表面に耐摩耗加工を施した加工面を有すること、
（８）前記筒状体は、紙製材料または弾性樹脂材料からなること、
（９）前記筒状体の高さは、前記軟質液体包装袋の高さの１／３〜２／３であること、
がより好ましい実施形態となる。
【発明の効果】
【００１１】
本発明の液状物充填包装体用のホルダーでは、ホルダー（筒状体）の形状を、装着する液状物充填包装体の立ち姿の下で形作られる立体形状に適合する形、即ち、下部が多角形であって、上部が楕円形シェル構造の上すぼまり形状とすることで、ホルダーの剛性が高くなって、液状物充填包装体の安定した自立保持を補助することができると共に、ホルダー下部を多角形としたことで、その複数個を組み合わせて隙間なく配置することができるため、収納性や商品棚等への陳列性に優れ、さらに輸送時などにおける衝撃を吸収することができる。
【００１２】
また、本発明で、ホルダー下部を六角形とし、対向する頂角部のそれぞれに山折り線を設けて、平らになるまで押し潰すことができるようにした場合は、袋内被包装物が減少しても、収納（装着）する液体包装袋の形状に合わせてホルダーを変形させて液状物充填包装体を押圧することで、最後まで注出させることができる。
【００１３】
しかも、本発明では、ホルダーの内径が、それの高さ方向の全体にわたて、立ち姿における液状物充填包装体の、対応する位置での最大径よりも大きくしたため、該ホルダーと、液状物充填包装体との常時の干渉なしにホルダーを外嵌めすることができる。そのため、液状物充填包装体がセルフシール逆止機能をもつ液体注出ノズル有していても、該逆止機能がホルダーによって阻害されることがない。
【００１４】
本発明において、ホルダー（筒状体）の上部楕円形シェル構造部分に指掛り用の窓孔を設けたときは、該窓孔を介して簡単に液状物充填包装体をホルダーごと持ち上げたり、液状物充填包装体を安定して傾動させて被包装物を注出することができる。さらに、窓孔から、液状物充填包装体の胴部を手指で直接、押圧することもできるため、被包装物の注出量の微妙なコントロールが可能である。
【００１５】
本発明のホルダーで、１枚のシートに横方向に間隔をおいて設けられた山折り線に沿って折り曲げて組み立てる場合は、ホルダーの加工が容易であり、さらにそれを紙製シートによって形成する場合には、使用後の廃棄が容易である。また、一枚のシートの両遊端部を、装着する液状物充填包装体の、一の側部縦シール部に貼着または融着させる場合は、ホルダーと液状物充填包装体とを一体化することができ、併せて、その接合箇所を一箇所のみとすることで輸送時等における衝撃をホルダーに吸収させて、液状物充填包装体の破損等を阻止することができる。
【００１６】
ところで、本発明のホルダーの、下部多角形の下端に、下端面の中心を含むように、多角辺部に跨がって配設された帯状の底板を設けたときは、使用時において該ホルダーから液状物充填包装体がズレ落ちるおそれがなく、さらに、その底板を帯状とすることで、加工が容易で、低コストで作製することができる。また、前記底板の、略中央位置に、底板全体の折り込みを許容する折畳み線を設けたときは、上記のように、ホルダーを、平らになるまで押し潰した際にも、該折畳み線を中心として２つに折り込まれることになり、底板が邪魔になることがない。
【００１７】
さらに、本発明のホルダーで、上部楕円形シェル構造部分に滑り止め加工を施した場合は、ホルダーを持ち上げたり、傾動させた際に手指が滑ることがなく、また、下部多角形部分には耐摩耗加工を施した場合は、取り扱い等によってホルダーが変形したり損傷したりするのを抑制することができる。
【図面の簡単な説明】
【００１８】
【図１】本発明の液状物充填包装体用ホルダーの一実施形態を示す斜視図である。
【図２】図１の液状物充填包装体用ホルダーに、液状物充填包装体を外嵌めさせた状態を例示する斜視図である。
【図３】本発明の液状物充填包装体用のホルダーが複数個並んだ状態を例示す正面図である。
【図４】本発明の液状物充填包装構造体用のホルダーが複数個並んだ状態を例示す底面図である。
【図５】図１の液状物充填包装体用のホルダーに液状物充填包装体を外嵌めさせた状態を例示する他の斜視図である。
【図６】液状物充填包装体の一実施形態を示す図である。
【図７】液状物充填包装体の他の実施形態を示す図である。
【図８】本発明の液状物充填包装構造体用のホルダーの展開図である。
【図９】本発明の液状物充填包装構造体用のホルダーの底板の一例を示す底面図である。
【発明を実施するための形態】
【００１９】
本発明に係る液状物充填包装体用のホルダー（以下、単に「ホルダー」という。）は、液体注出ノズルを有するフレキシブル包装袋内に、被包装物である液状物を液中シール充填してなる液状物充填包装体の下部に装着し、該液状物充填包装体の安定した自立と、被包装物の注出を補助するためのホルダーとして開発されたものである。
【００２０】
本発明のホルダーは、図１の一実施形態に示すように、装着する液状物充填包装体の立ち姿の下で形作られる立体形状に適合する形、即ち、下部１ａが多角形で、上部１ｂが楕円形シェル構造の上すぼまり形の筒状体からなるところに特徴がある。なお、楕円形シェル構造とは、平面視楕円形で、シート状部材の側面を上すぼまり形となるように内向きに湾曲させた構造を指し、図１においては、一対のシート状部材が、上方に向かって互いに近づく方向に湾曲した状態となっている。
【００２１】
このように、本発明のホルダーでは、液状被包装物によって膨張した液状物充填包装体の下部を、ホルダー下部の多角形部分によって安定して自立保持することができると共に、ホルダー上部を楕円形シェル構造として、ホルダー上部と下部の形状を異ならせることで、ホルダーの弾性復元力が高くなってホルダー形状を保つことができ、また剛性を高めることができる。
【００２２】
さらに、本発明では、図２の一使用形態に示すように、ホルダー上部１ｂが上すぼまり形状となっているため、ホルダー上部１ｂと液状物充填包装体２胴部とが近接した状態となり、液状被包装物の注出時等に、液状物充填包装体２上部がふらつくのを抑制して指向性を向上できると共に、ホルダー１を介して液状物充填包装体２胴部を加圧した際の力が伝わりやすく、液状物充填包装体２の上部側縁に設けられた液体注出ノズル４からの被包装物の注出量をコントロールし易いという効果が期待できる。
【００２３】
なお、ホルダー下部の形状は、三角形、四角形などのいずれの多角形状でもよく、このように多角形状とすることで、液状物充填包装体の下部を安定して自立保持することができると共に、図４にホルダー下部の形状が（ａ）三角形、（ｂ）四角形および（ｃ）六角形の場合の底面図で示したように、複数個のホルダーを隙間なく配置することができ、箱に収納したり、商品棚に陳列等する際の収納性や安定性に優れ、さらには輸送時などにおける外部からの衝撃を、ホルダーによって吸収することができるため、ホルダー内の液状物充填包装体の破損等を抑制することができるという効果が期待できる。
【００２４】
さらに、図３に示したように、液状物充填包装体２をホルダー１を介して商品棚等に陳列した場合、液状物充填包装体２の正面（通常は商品名等の印刷面）が、需要者に向って表示されることになるため、需要者が商品を選択しやすく、販売量の向上も期待できる。
【００２５】
なお、本発明のホルダーにおいては、筒状体の下部形状が六角形であることが好ましく、さらに、ホルダー下部の対向する頂角部にそれぞれ山折り線を設けて、ホルダーの、液状物充填包装体の胴部長辺側に沿う対向する六角辺部（以下、「表裏面」という。）を加圧して、図５に一実施形態として示したように相互に平らになるまで押し潰すことができるようにすることが好ましい。これによれば、ホルダーの表裏面を前記山折り線に沿って押し潰すことができるため、この押し潰し力をコントロールすることで、液状物充填包装体内の液状被包装物の微妙な注出量の調整が可能であると共に、液状物充填包装体内の被包装物が減少した場合にも、ホルダーの高い弾性復元力によってホルダー形状を保つことができるため、液状物充填包装体を最後まで安定して自立保持することができる。
【００２６】
ここで、図１に示すように、ホルダー下部１ａ形状が六角形からなり、表裏面を前記山折り線に沿って相互に平らになるまで押し潰すことのできるホルダー１は、とくに逆止機能を有するフィルム状液体注出ノズルを備える液状物充填包装体において好適に用いることができる。逆止機能を有するフィルム状液体注出ノズルを備える液状物充填包装体では、その液体注出ノズルの外側逆止機能によって、上記したように被包装物の注出量に応じて包装体が潰れ変形し、これが堰き止め作用となって、被包装物の流れが淀んだり、最終的には流路が遮断されてしまうおそれがある。この点に関しても、図１に示すホルダーによれば、ホルダーによる押し潰し力（加圧力）によって、袋内に残留する被包装物を押し出して、全量を最後まで注出させることができると共に、ホルダーの高い安定性と弾性復元力によって液状物充填包装体を最後まで自立保持できるようになる。
【００２７】
なお、前記フィルム状液体注出ノズルの逆止機能とは、平坦で密着可能な表裏２枚のプラスチックフィルムを重ね合わせて対面させ、両者の周縁部分を、基端辺を除いて融着させることにより、重なり合うそれらのフィルム相互間に形成される注出通路が、毛細管作用による液状物の常時介在によって相互に強く密着し、外気の、包装袋本体部内への侵入を確実に阻止する機能である。なお、この液体注出ノズルの逆止作用は、包装袋本体部分を液体注出ノズルの開口部（注ぎ口）が下方に向く姿勢となるように傾動させて液状被包装物を注出した後、包装袋の起立復帰によって、液体注出ノズルが水頭圧の作用から開放されて製造時の元形状に復帰することに加え、液体注出ノズル内の液状被包装物の一部が、包装袋本体部内へ還流するに際して、注出通路の減圧により液状被包装物によって濡れた表裏一対のフィルムどうしの内表面（注出通路）が、相互に吸着し合うこと等によって自動的に行われる（セルフシール）。そして、このような密着は、包装袋からの液状被包装物の注出に伴って、収縮ないしは潰れ変形された袋本体部分が、それに固有の弾性復元力に基づいて、その内部を減圧傾向とするときに、より確実になる。
【００２８】
また、本発明のホルダーでは、筒状体の内径を、それの高さ方向の全体にわたって、液状物充填包装体を、ホルダー内に収納した状態（立ち姿）での、高さ方向の対応する位置における最大径よりも大きくする。これによれば、ホルダーを液状物充填包装体下部に外嵌めした場合に、ホルダーによって液状物充填包装体胴部が常時押圧されることがないため、液状被包装物が液体注出ノズルから不測に漏出するおそれがなく、とくに、本発明のホルダーを、セルフシール逆止機能を有するフィルム状液体注出ノズルを備える液状物充填包装体に装着した場合、液状物充填包装体の使用開始前に液状被包装物が逆止ノズルの注出通路内に進入して滞留するのを抑制することができるため、これによって注出通路が膨らまされる向きに永久変形してしまうことがなく、注出通路内表面同士の密着が阻害されて、セルフシール逆止機能を発揮できなくなる、というおそれがない。
なお、筒状体の内径は、液状物充填包装体の収納状態（立ち姿）での対応する位置における最大径よりも３〜２０ｍｍ大きくすることが好ましい。
【００２９】
ここにおいて、ホルダー下部の多角形部分は、ホルダー全体高さの１／２〜２／３（楕円形シェル構造部分はその残り：全体高さの１／３〜１／２）とすることが、上記自立安定性や弾性復元力、注出補助等の効果を有効に発揮する上で好ましい。
【００３０】
ところで、本発明に係る液状物充填包装体は、図６に例示するように、液体注出ノズル４を有する軟質液体包装袋３内に、被包装物である液状物を液中シール充填してなる内袋５を、自立用外袋６内に収納したものとする他、図７に例示するように軟質液体包装袋３の下端部に自立用底部７を設けてなるものとすることもできる。
【００３１】
そして、本発明に係る液状物充填包装体では、該包装体全体を液体注出ノズルの開口部（注ぎ口）が下方に向く姿勢となるように傾動させること、さらには、包装体の胴部側面を加圧することにより所要の注出を行うことができるが、注出量のコントロールには前記傾動角度や加圧力の微妙な調整が必要である。
【００３２】
そこで、本発明のホルダーでは、図１に例示したように表裏面の上部、すなわち楕円形シェル構造１ｂ部分に指掛り孔１０を設けることが好ましく、これによって、指掛り孔１０に指を掛けてホルダー１ごと液状物充填包装体２を安定して傾動させることができると共に、該指掛り孔１０を介して液状物充填包装体２の胴部を手指で直接、加圧することで、被包装物の注出量の微妙なコントロールができるという効果が期待できる。
【００３３】
さらに、前記液体注出ノズルが、セルフシール逆止機能を有することで、外気の軟質液体包装袋内への侵入を自動的に抑制することができるため、開口部（注ぎ口）に蓋栓等を用いる必要がないという特徴があるが、その反面、持ち運び等の際に、誤って液状物充填包装体の胴部を加圧してしまうと、袋内被包装物が液体注出ノズルの開口部から不測に吐出されてしまうおそれがあった。この点に対しても、図１に例示する本発明のホルダー１によれば、液状物充填包装体を、ホルダー１の表裏面にそれぞれ設けられた指掛り孔１０に指を掛けて持ち運ぶことができるため、直接、ホルダー１の表裏面、即ち液状物充填包装体胴部を握持する必要がなく、被包装物の意図しない吐出を防止することができる。
【００３４】
本発明のホルダーは、好ましくは、１枚のシートを、横方向に間隔をおいて設けられた山折り線に沿って折り曲げた後、該シートの両遊端部を互いに接着して組み立てることにより、簡単に形成することができる。例えば、ホルダー下部が六角形からなる場合には、図８に示すような１枚のシート１１を、シート１１中央部の山折り線１５ｅを含む５箇所に設けられた山折り線１５ａ〜１５ｅに沿って折り曲げて組み立てた後、両遊端部１１ａ、１１ｂを接着剤等を用いて相互に合掌状に接合することで形成することができる。このホルダーは、液状物充填包装体とは別体として形成することができる他、例えば図２に示すように、前記両遊端部１１ａ、１１ｂを、液状物充填包装体２の一方の側部縦シール部１２に接着剤等によって貼着するか、ヒートシール等によって融着させることで、液状物充填包装体２と一体に形成することもできる。
【００３５】
そして、ホルダーが、前記したように液状物充填包装体と別体からなる場合、あるいは一体からなる場合のいずれであっても、ホルダーを液状物充填包装体の一方の側部縦シール部と接合することが好ましく、これにより、液状物充填包装体が、ホルダーからズレ落ちることを防止できると共に、衝撃がその接合箇所に吸収されるため、耐衝撃性に優れ、ホルダー内に保持した液状物充填包装体が、変形や破損等することを阻止することができる。
【００３６】
また、本発明のホルダーは、上記したように下部が多角形、上部が楕円形シェル構造からなり、上部と下部の形状が異なるところに特徴があるが、このような形状をホルダーの使用終了時点まで維持させるためには、図８に例示すように、ホルダー１を構成するシート１１の、山折り線１５ａ〜１５ｄの上端部にそれぞれ、ノッチ１６（図では半円弧形ノッチ）を設けることが好ましく、これらのノッチ１６によって、山折り線１５ａ〜１５ｄが、それより上部へと延びるのを効果的に阻止し、ホルダー１の上部形状を楕円形シェル構造１ｂに保つことが好ましい。
【００３７】
ところで、シート１１の中央部に設けられた山折り線１５ｅは、ホルダー１の表面側と裏面側の境界位置にあり、ホルダー１として組み立てた場合、常に鋭角に折り曲げられた状態になるため、山折り線１５ｅの上端は、使用時における衝撃等によって、とくに切れたり裂けたりし易い部分となる。したがって、山折り線１５ｅについては、その上端に円形等の引裂き伝播防止用ノッチ１７を設け、そのノッチ１７によって山折り線１５ｅの上端からの切断とその伝播を抑制することが好ましい。
【００３８】
さらに、前記シート１１は、紙製材料または弾性樹脂材料からなることが好ましく、これにより、簡単に折り曲げて組立ができると共に、保形性にも優れ、ホルダーの押し潰しによる液状物充填包装体胴部の押圧が容易で、被包装物の注出量のコントロールと、被包装物の最後までの吐出に有利である。なかでも、紙製材料からなる場合には、使用後の廃棄が容易であるという利点もある。
【００３９】
また、ホルダーの高さは、ホルダー内に保持される液状物充填包装体の高さの１／３〜２／３であることが好ましく、より好ましくは１／２程度とする。これにより、液状物充填包装体を安定して支持することができると共に、ホルダーを介して液状物充填包装体の胴部を加圧することによって、被包装物を注出する際の注出量のコントロールが容易となる。
【００４０】
ところで、本発明のホルダー下端には、下端面の中心を含むように、多角辺部に跨がって配設された帯状の底板を有することが好ましい。例えば、下部形状が六角形からなるホルダーでは、図９に底面図で示すように、対向する六角辺である表面の下端中央部と、裏面側の下端中央部とを跨るように帯状（矩形状）の底板１３を設けることが好ましい。これにより、ホルダー内に液状物充填包装体を保持した状態で、それを傾動あるいは持ち上げたりする際に、該液状物充填包装体が、ホルダーからズレ落ちるのを効果的に阻止することができる。
【００４１】
なお、底板の形成方法は、とくに限定されるものではなく、例えば、図８のようなホルダー組み立て前のシート１１において、表面側となる部分の下端中央部および裏面側となる部分の下端中央部から板片をそれぞれ突出させておき、図９に示したように、ホルダー１の組み立て時に、該板片の遊端部どうしを相互に融着させて形成することや、ホルダーの組み立て後に、ホルダーとは別体からなる帯状（矩形状）の底板片をホルダーの表裏面下端中央部に跨るように接着剤等によって貼りつけて形成してもよい。なお、図９に示したように、底板１３は、ホルダー１の表裏面側と平行な方向の略中央位置に、底板１３全体の折り込みを許容する折畳み線１４を有することが好ましく、これによって、ホルダー１を表裏面が平らになるまで押し潰した際に、底板１３が折畳み線１４に沿って二つに折り畳まれるため邪魔になることがない。
【００４２】
加えて、本発明のホルダーでは、上部の楕円形シェル構造部分外表面に滑り止め処理を施し、一方、下部の多角形部分外表面に耐摩耗加工を施すことが好ましい。これにより、ホルダー上部の楕円形シェル構造部分において、ホルダーを持ち上げたり、傾動させた際の手指のすべり落ちを抑制することができ、また、下部の六多角形部分においては、取り扱い等によってホルダーが変形したり損傷したりするのを抑制することができる。なお、滑り止め処理としては、ホルダーの外表面にコーティング剤を塗布したり、凹凸やエンボス加工を施すこと、耐摩耗加工としては、ホルダーの外表面にＵＶコートやニスコート、プレスコート、ラミネート加工などを施すことにより形成すること好ましい。
【産業上の利用可能性】
【００４３】
本発明のホルダーは、図示例だけに限らず、本発明思想を逸脱しない範囲内において、その構成を部分的に変更することは可能であり、醤油やソース、ドレッシングなどの調味液、各種飲料の他、マヨネーズや化粧料の如き粘稠物を液中シール充填した液状物充填包装体のホルダーとして使うことができる。
【符号の説明】
【００４４】
１ 液状物充填包装体用のホルダー
１ａ 下部
１ｂ 上部
２ 液状物充填包装体
３ 軟質液体包装袋
４ 液体注出ノズル
５ 内袋
６ 自立用外袋
７ 自立用底部
１０ 指掛かり孔
１１ａ、１１ｂ 遊端部
１２ 側部縦シール部
１３ 底板
１４ 折畳み線
１５ａ〜１５ｅ  山折り線
１６ ノッチ
１７ 引裂き伝播防止用ノッチ
【図１】
0005481625.tif 000002
【図２】
0005481625.tif 000003
【図３】
0005481625.tif 000004
【図４】
0005481625.tif 000005
【図５】
0005481625.tif 000006
【図６】
0005481625.tif 000007
【図７】
0005481625.tif 000008
【図８】
0005481625.tif 000009
【図９】
0005481625.tif 000010